(57)【要約】【課題】設計情報の外部への漏洩を防止し、高価な３次元設計機器を安全かつ容易に利用できる設計支援サービス方法を提供することにある。【解決手段】サービス実施環境１０２として設計対象物２０５を３次元設計するための撮像１０３、計測１０４、造形１０５、ＣＡＤ１０６及びＣＡＥ１０７の各システムを個別のシステム室１０８に設置すると共に、データを格納するデータベース１０９と、各システム及びデータベースに対する指示と監視を行うサーバ１１１とを設け、顧客環境２０２としての情報端末２０３を設置し、これらを通信ネットワーク１１７を介して接続し、サービス利用登録した利用者２０１に対してサービス実施環境を貸与すると共に、各システム自体及び入口に設置したセキュリティ手段１３０，１２０を用いてサービス実施環境への不正侵入及び各システムの不正利用を監視し、利用者の保有する設計情報の漏洩を防ぐ。【選択図】　図１
2004013767.tif 000002
【特許請求の範囲】
【請求項１】
利用者の設計業務を支援する設計支援サービス方法において、設計支援サービスを実施するサービス実施環境として、設計対象物を３次元設計するための設計用機器及びソフトウェアからなる複数のシステムをそれぞれ個別のシステム室に設置すると共に、前記各システムのデータを格納するデータベースと、前記各システム及び前記データベースに対する動作指示と監視を行うサーバとを設け、利用者の顧客環境としての情報端末手段を設置し、前記各システム及び前記データベースと前記情報端末手段を通信ネットワークを介して接続し、前記サービス実施環境の利用登録をした利用者に対して前記サービス実施環境を貸与すると共に、前記各システムの入口及び該各システム自体に設置したセキュリティ手段を用いて前記サービス実施環境への不正侵入及び前記各システムの不正利用を監視し、利用者の保有する設計情報の漏洩を防ぐことを特徴とする設計支援サービス方法。
【請求項２】
請求項１において、前記各システムは、少なくとも撮像システム、計測システム、造形システム、ＣＡＤシステムまたはＣＡＥシステムを含み、設計対象物を３次元設計に供することを特徴とする設計支援サービス方法。
【請求項３】
請求項１において、前記サーバは、利用者の事前に登録したＩＤ・パスワードと利用者による前記各システムの利用スケジュールを管理し、この管理のもとに前記各システム室を専有利用するサービスを行うことを特徴とする設計支援サービス方法。
【請求項４】
請求項１において、前記サーバは、利用者が前記システムの利用を終了して後、前記システムの制御端末からの指示に応じて利用者の残した設計情報を一括消去するサービスを行うことを特徴とする設計支援サービス方法。
【請求項５】
利用者の設計業務を支援する設計支援サービス方法において、設計支援サービスを実施するサービス実施環境として、設計対象物を３次元設計するための設計用機器及びソフトウェアからなる複数のシステムをそれぞれ個別のシステム室に設置すると共に、前記各システムのデータを格納するデータベースと、前記各システム及び前記データベースに対する動作指示と監視を行うサーバとを設け、利用者の顧客環境としての情報端末手段を設置し、前記各システム及び前記データベースと前記情報入力手段を通信ネットワークを介して接続し、前記サービス実施環境の利用登録をした利用者は、前記顧客環境としての情報端末手段を利用し、前記設計対象物を３次元設計するための前記設計用機器の稼働状態を前記通信ネットワークを経由して前記システムに問い合わせ、当該設計用機器の稼働可のとき、当該設計用機器を前記通信ネットワークを経由して操作し、前記設計対象物を３次元設計すると共に、他の利用者が前記設計用機器を同時に使用不可とすることを特徴とする設計支援サービス方法。
【請求項６】
請求項１または請求項５において、前記サービス実施環境の利用登録をした利用者が前記システムの操作に慣れているオペレータに作業委託の指示をしたとき、前記サーバは、前記サービス実施環境における設計作業を前記システムの操作に慣れているオペレータに委託するサービスを行うことを特徴とする設計支援サービス方法。
【請求項７】
請求項１または請求項５において、前記サービス実施環境は、少なくとも前記各システムの他に設計用機器で利用あるいは作成される実際物の搬送設備または設計材料の保管設備またはインストラクション設備またはＣＡＤモデリングのための支援設計ライブラリを備え、前記サーバは、前記各システムの利用に要する費用、前記実際物及び設計材料の搬送・保管に要する費用、インストラクション費用、支援設計ライブラリをそれぞれ計算し、これら計算した結果を課金処理装置に格納し、利用者の利用状況に応じて課金することを特徴とする設計支援サービス方法。
【請求項８】
請求項１または請求項５において、前記サービス実施環境を全国の拠点に配すると共に、前記サービス実施環境を専用回線またはインターネットにより接続し、データを高速転送し、また、ひとつのデータを各拠点に分散させることを特徴とする設計支援サービス方法。
【発明の詳細な説明】
【０００１】
【発明の属する技術分野】
本発明は、設計支援サービス方法に係り、特に、３次元設計のための環境を提供する設計支援サービス方法に関する。
【０００２】
【従来の技術】
従来、３次元設計のための機器としてハードウェアでは３次元計測機（ＣＭＭ）やＮＣ加工機、光造形装置（ＲＰ）などが利用され、ソフトウェアでは３次元ＣＡＤソフト、ＣＡＭソフト、ＣＡＥソフトなどが利用されている。また、設計した製品について、内部の欠陥検出や寸法計測、内部構造観察、内部密度分布計測といったリバースエンジニアリングの要望が高まり、このニーズに応えるための技術として産業用Ｘ線ＣＴの利用がある（高木ほか、Ｘ線ＣＴとＲＰを活用する統合３次元製品開発手法、日本非破壊検査協会、放射線分科会資料　Ｎｏ．１０２９６）。
従来の技術では、３次元設計をするための各機器を操作する人と各機器により設計されたものを必要とする人とは同一か、もしくは、１つの企業内で各機器を全て保有しており、各機器を操作する人と各機器により設計されたものを必要とする人とがその企業内において互いに密なコミュニケーションがとれる状況にあることが想定されている。このような状況下においては、図面やＣＡＤデータなど設計に関わる情報を外部に開示せず、各機器を操作する人に設計作業を委託することができる。また、設計を委託した本人が機器の操作に習熟する必要がないので、思い通りの設計が期待できるため、特に問題はない。
しかし、３次元設計機器は、機器自体が高価であることに加え、導入後の維持費や機器のバージョンアップに伴い、発生する費用がかさむ。このため、中小企業や大学の研究者など多くは、資金的な都合により、このような機器を全て所有することは殆ど不可能であり、あるひとつの機器だけを所有できるか、あるいは全く所有できないという問題がある。この場合、例えば何らかの手段により造形したものを高精度に寸法計測したいときには、ＣＭＭによる測定作業を外部業者に依頼するために、造形物そのもの、造形に用いたＣＡＤデータ、あるいは図面などの設計情報を外部業者に対して開示する必要がある。こうした設計情報の当事者及び作業を依頼した外部業者以外への漏洩防止策として、従来、外部業者との間で守秘契約を結ぶ方法がとられている。しかし、当事者及び作業を依頼した外部業者以外への情報漏洩を防止できたとしても、当事者の設計情報をその外部業者に対して隠蔽することは不可能となる問題がある。
また、従来、３次元設計機器は、その取り扱いに高度な知識と操作の習熟が必要とされ、機器を使いこなすに到るまでは長期間の訓練を要する。そのため、不用意に機器を導入してしまうと、機器の性能を十分に活用できず、思い通りの設計ができるようにはならない恐れがある。
機器の取り扱いに習熟せず、必要な情報を取得するための方法として、特開平２０００−２９８１０６に記載されているようなシステムがある。これは、産業用Ｘ線ＣＴを利用したシステムであり、ネットワークなどにより遠隔で利用者が被検体の検査を要求し、被検体の撮像は撮像事業の主体者に任せ、その結果を利用者の端末に表示して提供するものである。このシステムによれば、利用者はＸ線ＣＴについての知識や操作方法の習熟が不要となる。また、撮像の結果得られるデータは通常デジタル化されている。しかし、このシステムでは、撮像結果の端末画面上への表示やデータのデジタル化にとどまり、３次元設計機器のひとつとして簡便・安価に利用するには機能が不足しているという問題がある。
【０００３】
【発明が解決しようとする課題】
上述のように、３次元設計機器は、高価であると同時に、維持やバージョンアップに費用がかかるため、多くの中小企業や大学の研究者などにとっては容易に利用できないという問題があった。このように、３次元設計機器を保有していない、あるいは保有できない者が３次元設計を希望する場合には設計情報を外部業者に開示する必要があり、この設計情報がさらに外部へと漏洩していく危険性が高まるという問題もあった。
また、３次元設計機器を保有することができても、その機器自体、複雑であり、高度な知識や操作の習熟が必要となり、それには長期間を要するため、機器を十分に使いこなすまでに到らない危険性があるという問題があった。
【０００４】
本発明の課題は、設計情報の外部への漏洩を防止し、高価な３次元設計機器を安全かつ容易に利用でき、また、遠隔からの利用ができる設計支援サービス方法を提供することにある。
【０００５】
【課題を解決するための手段】
上記課題を解決するために、設計支援サービスを実施するサービス実施環境として、設計対象物を３次元設計するための設計用機器からなる複数のシステムをそれぞれ個別のシステム室に設置すると共に、各システムのデータを格納するデータベースと、各システム及びデータベースに対する動作指示と監視を行うサーバとを設け、利用者の顧客環境としての情報端末手段を設置し、各システム及びデータベースと情報端末手段を通信ネットワークを介して接続し、サービス実施環境の利用登録をした利用者に対してサービス実施環境を貸与すると共に、各システムの入口及び該各システム自体に設置したセキュリティ手段を用いてサービス実施環境への不正侵入及び各システムの不正利用を監視し、利用者の保有する設計情報の漏洩を防ぐ。
また、サービス実施環境の利用登録をした利用者は、顧客環境としての情報端末手段を利用し、設計対象物を３次元設計するための設計用機器の稼働状態を通信ネットワークを経由してシステムに問い合わせ、当該設計用機器の稼働可のとき、当該設計用機器を通信ネットワークを経由して操作し、設計対象物を３次元設計すると共に、他の利用者が設計用機器を同時に使用不可とする。
【０００６】
【発明の実施の形態】
以下、本発明の実施形態を図面を用いて説明する。
図１に、本発明の第１の実施形態による設計支援サービス方法を実施する構成を示す。図１において、設計支援サービスを実施する事業主体者１０１のサービス実施環境１０２には、サービスを利用する顧客２０１から持ち込まれた対象物２０５を撮像するための撮像システム１０３と、対象物２０５の形状を測定する計測システム１０４と、顧客２０１が作成したデジタルデータに基づいて造形物２０６を造形する造形システム１０５と、ＣＡＤによる３次元モデリングを実施するためのＣＡＤシステム１０６と、ＣＡＤシステム１０６上で作成されたデジタルデータあるいは顧客２０１が持ち込んだデジタルデータに基づき、構造解析や流体解析、電磁場解析などを実施するためのＣＡＥシステム１０７といった３次元設計機器がそれぞれ個別のシステム室１０８に設置されている。
撮像システム１０３、計測システム１０４、造形システム１０５、ＣＡＤシステム１０６またはＣＡＥシステム１０７の各システムにおいて作成あるいは利用されるデジタルデータ及び課金情報データ１１０を格納したデータベース１０９と、顧客２０１からのサービス利用登録に対してＩＤやパスワードを配布するなどの利用登録処理を実施する利用登録処理プログラムを格納し、また、各システム及びデータベース１０９に対する動作指示の発行、稼動状況の監視を実施するためのサーバ１１１、顧客２０１がサービス実施環境１０２に来場した際に、事前に配布されたＩＤやパスワードに基づき、来場受付処理を実施する受付処理プログラム１１２を格納し、受付処理により顧客２０１に貸与されるＩＤカード１１３と、ＩＤカード１１３へ顧客情報を入力する入力装置１１４がデータ伝送ケーブル１１５により接続された受付処理端末１１６が設置され、これらは全て通信ネットワーク１１７によって接続される。
撮像システム１０３はＸ線ＣＴを利用したシステムがある。計測システム１０４は、接触式のものでは探針式のＣＭＭ、非接触式のものではレーザや超音波などを利用した計測機がある。造形システム１０５はＲＰやＮＣ加工機などがある。また、対象物２０５や造形物２０６などの実際物、設計データ及びこの設計データを記録した媒体、設計図面、書類、造形に用いる材料などの設計材料を格納するための格納庫１１８も設置され、撮像システム１０３、計測システム１０４、造形システム１０５との間に設置される搬送手段１１９によって対象物２０５や造形物２０６が搬送され、設計材料格納庫１１８に格納される。
搬送手段１１９は、ベルトコンベアやトラックあるいはその両方を併用してもよい。また、図面においては、撮像システム１０３、計測システム１０４、造形システム１０５、ＣＡＤシステム１０６、ＣＡＥシステム１０７、データベース１０９、サーバ１１１、格納庫１１８はそれぞれ１つずつ記載されているが、それぞれ複数設置してもよい。
【０００７】
顧客２０１からのサービス利用登録の受付は、顧客２０１の顧客環境２０２に設置されている情報端末２０３から通信ネットワーク１１７を介してサーバ１１１に格納された利用登録処理プログラムにより処理される。サーバ１１１は、物流業者３０１の環境に設置されたサーバ３１１、保険業者４０１の環境に設置されたサーバ４１１、機器メーカ５０１の環境に設置されたサーバ５１１、警備会社６０１の環境に設置されたサーバ６１１とも通信ネットワーク１１７を介して接続される。撮像システム１０３、計測システム１０４、造形システム１０５、ＣＡＤシステム１０６、ＣＡＥシステム１０７の各システム、各システム室１０８の入口、サービス実施環境１０２にはセキュリティ装置１２０、また、各システム室１０８自体にはセキュリティ装置１３０がそれぞれ少なくとも１つ以上設置され、ＩＤ及びパスワードに基づき、サービス実施環境１０２への不正侵入や各システムの不正利用を監視し、不正が見られた場合には警備会社６０１に通報する。
各システム室１０８の入口に設置されているセキュリティ装置１２０には、顧客２０１の入退室を管理するための施錠管理システム１２１が接続されている。顧客２０１が対象物２０５や造形物２０６のサービス実施環境１０２への搬出入を希望する場合、サーバ１１１から物流業者３０１に設置されたサーバ３１１へ顧客２０１の情報及び搬出入する実際物に関する情報、搬出入の日時などを送信し、物流業者３０１に対し、指定した日時に実際物の搬出入を実施するよう指示する。物流業者３０１は指定された日に搬送手段１５１を用いて搬送経路１５２を通り、対象物２０５や造形物２０６を搬送する。また、顧客２０１は、サービスを利用する際には経路１６１を通り、サービス実施環境１０２に来場する。
【０００８】
図１には、撮像システム１０３、計測システム１０４、造形システム１０５、ＣＡＤシステム１０６及びＣＡＥシステム１０７が図示されているが、これらのシステムのうちのいくつかのシステムを組み合わせた本実施形態よりも小規模な構成も可能である。例えば、計測システム１０４と造形システム１０５のみによる構成であっても、名人により作成されたものの複製品を作成するレプリカによるモデリングが可能である。また、計測システム１０４、造形システム１０５及びＣＡＤシステム１０６のみによる構成であっても、ＣＡＤデータから造形システム１０５により実際物を作成し、その実際物の表面形状などを計測システム１０４により計測するといった実際物モデリングが可能となる。さらに、ＣＡＤモデリングと実際物モデリングを組み合わせた複合モデリングも可能である。
【０００９】
図２に、本実施形態におけるサービス実施環境１０２の具体的な間取りの一例を示す。
サービス実施環境１０２には、顧客２０１やサービス関連業者等が出入りするための出入口１２２、出入口１２２のすぐ内側には受付１２３とそこに設置された受付処理端末１１６、撮像システム１０３としてのＸ線ＣＴ装置１２４が設置されている撮像システム室１０８、計測システム１０４として３次元計測機１２５が設置されている計測システム室１０８、造形システム１０５としてＲＰ装置１２６が設置されている造形システム室１０８、ＣＡＤシステム１０６が設置されているＣＡＤシステム室１０８、ＣＡＥシステム１０７が設置されているＣＡＥシステム室１０８、各システムで作成あるいは利用されるデジタルデータを格納しておくためのＲＡＩＤを搭載したデータベース１１９、格納庫１１８、Ｘ線ＣＴ装置１２４、３次元計測機１２５、ＲＰ装置１２６から対象物２０５や造形物２０６を格納庫１１８に搬送する搬送路１１９としてベルトコンベアが設置されている。また、各システム、データベース１１９、受付処理端末１１６及びサーバ１１１はローカルエリアネットワーク１１７で相互に接続される。
また、機器メーカ５０１が新製品の説明をしたり、機器操作のためのインストラクションを実施するためのプレゼンテーション室１２７、利用者の便を図るための会議室１２８などが設置されている。
サービス実施環境１０２や各システム及び各システム室１０８の入口にはセキュリティ装置１２０が設置され、顧客２０１に貸与されるＩＤカード１１３に登録されたＩＤ及びパスワードを警備会社６０１に設置されたサーバ６１１に予め登録された顧客２０１のデータと照合することにより、不正侵入を阻止する。各システム室１０８の入口に設置されたセキュリティ装置１２０には施錠管理システム１２１が接続されている。対象物２０５や造形物２０６の搬出入業務が発生する可能性のある撮像システム室１０８、計測システム室１０８、造形システム室１０８及び格納庫１１８には、搬出入口１２９が設置されている。
【００１０】
図３に、本実施形態の動作フローを示す。図３では、事業主体者１０１と顧客２０１及び本サービスの関連業者との間で通信ネットワーク１１７及びサービス実施環境１０２に設置された３次元設計機器やソフトウェアを利用してやり取りする手順を示す。
本サービスの関連業者には、物流業者３０１、保険業者４０１、機器メーカ５０１及び警備会社６０１が関わる。顧客２０１がサービスの利用を希望する場合、顧客２０１の情報端末２０３から通信ネットワーク１１７を介してサービス実施環境１０２のサーバ１１１にアクセスして利用登録をする。利用登録時に、利用希望サービスの選択、３次元設計機器やソフトウェアの利用に関するインストラクションの実施、ＣＡＤシステムを利用する場合には設計を容易に実施するためのライブラリ使用希望、保険契約、守秘契約、物流手配、ＩＤ及びパスワードなどについて登録する。
サーバ１１１では、顧客２０１により選択された利用希望サービスや顧客２０１の情報、ＩＤ及びパスワードの登録、保険契約の有無、利用スケジュールなどの情報を処理し、保険契約が必要である場合には、保険業者４０１の環境に設置されたサーバ４１１に契約内容に関する情報を送信し、保険契約手続を依頼する（処理内容Ｎｏ．１）。また、顧客２０１の希望する利用スケジュールに基づき、各システムの空き時間を検索し、顧客２０１の要望するスケジュールに近い利用スケジュールを複数組み立て、その情報を顧客２０１の情報端末２０３に表示する（処理内容Ｎｏ．２）。顧客２０１は、表示されたスケジュールの中から希望するものを選択してサーバ１１１に送信する。サーバ１１１では、選択されたスケジュールと、顧客２０１のＩＤ及びパスワードを警備会社６０１の環境に設置されたサーバ６１１に送信する。サーバ６１１では、顧客２０１の入室管理の際に実施されるＩＤ及びパスワードの照合処理において参照するために、スケジュールとＩＤ及びパスワードをサーバ６１１に格納する（処理内容Ｎｏ．３）。また、必要があれば、対象物２０５の搬出入手配をサーバ８から物流業者３０１の環境に設置されたサーバ３１１に送信する。物流業者３０１は、受信した情報に基づき、対象物２０５の搬出入を手配する（処理内容Ｎｏ．４）。
サービス実施環境１０２への搬入予定日の数日前には、物流業者３０１のサーバ３１１から顧客２０１の情報端末２０３及び事業主体者１０１のサーバ１１１に対象物２０５の搬入の日程とそれに付随する情報を通知する（処理内容Ｎｏ．５）。さらに物流業者３０１は、連絡した日に顧客２０１の環境からサービス実施環境１０２に対象物２０５を搬送する（処理内容Ｎｏ．６及びＮｏ．７）。
顧客２０１は、対象物２０５の搬入後、サービス実施環境１０２に入場し、受付１２３に設置された受付処理端末１１６に事前に登録したＩＤ及びパスワードを入力する。受付処理端末１１６からサーバ１１１を介して警備会社６０１に設置されたサーバ６１１に、入力されたＩＤ及びパスワードを送信し、照合を依頼する。サーバ６１１は、既に格納されているスケジュールとＩＤ及びパスワードを参照し、照合処理を実施し、受付処理端末１１６に対して照合の結果を返信する（処理内容Ｎｏ．８及びＮｏ．９）。ＩＤ及びパスワードが一致した場合、受付処理端末１１６に接続されているＩＤカード１１３に顧客２０１の情報、ＩＤ及びパスワードを入力する。入力終了後、ＩＤカード１１３がサービス実施環境１０２内での身分証明書として顧客２０１に貸与される（処理内容Ｎｏ．１０）。照合の結果、ＩＤ及びパスワードが不一致の場合には、再度ＩＤ及びパスワードの入力を要求し、サーバ６１１に照合処理を依頼する。数回の入力後、ＩＤ及びパスワードが不一致の場合には、受付処理を強制終了し、不正侵入の疑いがあるものとして警備会社６０１へ通報する（処理内容Ｎｏ．１１）。
顧客２０１は、既に選択したスケジュールに基づき、自分の利用するべきサービスを受けるシステム室１０８への入室を試みる。各システム室１０８の入口に設置されたセキュリティ装置１２０は、顧客２０１が装着しているＩＤカード１１３の情報を読み取り、通信ネットワーク１１７を介して警備会社６０１に設置されたサーバ６１１にこの情報を送る。サーバ６１１は、セキュリティ装置１２０より送信されたＩＤやパスワードなどの情報と、サーバ６１１内のスケジュール管理データベースに格納されている顧客のスケジュールデータに基づき、ＩＤ及びパスワードを照合する（処理内容Ｎｏ．１２）。照合の結果、ＩＤ及びパスワードが一致した場合には、顧客２０１の入室を許可する（処理内容Ｎｏ．１３及びＮｏ．１４）。不一致の場合には、受付処理での場合と同様の処理をする（処理内容Ｎｏ．１５）。
入室後、顧客２０１がシステムの利用を開始するために、ＩＤカード１１３内の情報を機器に設置されたセキュリティ装置１２０より警備会社６０１に設置されたサーバ６１１に送信し、ＩＤ及びパスワードの照合を依頼する。サーバ６１１での照合結果を受け、ＩＤ及びパスワードが一致している場合には、機器の使用が許可される（処理内容Ｎｏ．１６、Ｎｏ．１７及びＮｏ．１８）。不一致の場合には、警備会社６０１へ通報する（処理内容Ｎｏ．１９）。
【００１１】
図４に、図３に引き続く本実施形態の動作フローを示す。システムの利用中は、原則として他の利用者は入室できないが、顧客２０１が利用登録時にインストラクションの実施を希望した場合には、インストラクタの当該システム室１０８への入室が許可され、室内においてインストラクションが実施される（処理内容Ｎｏ．２０及びＮｏ．２１）。インストラクションは、顧客の入室前・退室後にも、プレゼンテーション室１２７などにおいて随時実施される。サーバ１１１は、顧客２０１がシステムを利用している間、警備会社６０１に設置されたサーバ６１１に対して随時スケジュール検索処理要求を発行し、サーバ６１１は、既に格納されているスケジュールデータに基づき、顧客２０１の利用終了時間が近づいている場合には、システム室１０８内の端末に対して顧客２０１の当該システム利用の終了時間が近づいていることを通知する。また、顧客２０１の当該システム利用の終了時間となったときには、サーバ１１１からシステム室１０８内の端末にシステム利用の終了を請求する通知を送信する（処理内容Ｎｏ．２２）。さらに、サーバ１１１は、顧客２０１が次に利用するシステム及びその開始時間を連絡し、現システム上で作成あるいは利用したデータや実際物について移動、保管、消去のいずれかを選択するよう請求する。顧客２０１は、サーバ１１１からの指示に従い、上記いずれかの処理を選択する。選択後、サーバ１１１からシステム室１０８内の端末上に退室請求を発行する（処理内容Ｎｏ．２３及びＮｏ．２４）。顧客２０１は、退室後、他のサービスを受ける場合には、当該システム室１０８への入室処理から繰り返す。
全てのサービスの利用を終了した場合には、サービス実施環境１０２からの退場処理へ移る。顧客２０１のシステム利用が全て終了し、サービス実施環境１０２を退場する際、顧客２０１は受付にＩＤカード１１３を返却する（処理内容Ｎｏ．２５）。サービス実施環境１０２からの退場請求により顧客２０１は退場する（処理内容Ｎｏ．２６）。返却されたＩＤカード１１３に登録されている内容は全て消去される。
対象物２０５や造形物２０６の搬出要求がある場合には、物流業者３０１のサーバ３１１から顧客２０１の環境２０２の情報端末２０３及び事業主体者１０１のサーバ１１１に搬出作業について通知され、物流業者３０１により搬出された対象物２０５や造形物２０６は顧客２０１の環境２０２へと搬送される（処理内容Ｎｏ．２７、Ｎｏ．２８及びＮｏ．２９）。対象物２０５及び造形物２０６が顧客２０１の環境２０２へ搬送された後、サーバ１１１は、警備会社６０１に設置されたサーバ６１１に対して当該顧客のＩＤ及びパスワードを抹消するよう依頼する（処理内容Ｎｏ．３０）。
機器メーカ５０１は、事業主体者１０１との間で締結された契約に基づき、定期的にサービス実施環境１０２に設置されている３次元設計機器のメンテナンスを実施するほか、事業主体者１０１は、機器メーカ５０１に対してメンテナンスを随時依頼し、機器メーカ５０１は依頼に応じてメンテナンスを実施する（処理内容Ｎｏ．３１及びＮｏ．３２）。
【００１２】
以上の本実施形態によれば、顧客は、セキュリティ管理により設計情報が外部へ漏洩する危険を排除して高価な３次元設計機器やソフトウェアを保有せずとも、高度な３次元設計を実施することができる。
また、各システム室ごとにセキュリティ管理されるため、システム室を専有利用できることにより、実際物モデリングを実施する場合であっても、設計情報が漏洩する危険を排除できる。
また、事業主体者がサービス利用者全てのスケジュールを一元的に管理することにより、設計情報を漏洩させることなく、３次元設計機器を専有利用できる環境を提供できる。
また、ＣＡＤやＲＰ、Ｘ線ＣＴなど３次元設計機器に対する高度な知識や操作技術を有していない顧客に対してインストラクションを実施することにより、顧客は機器の取り扱いに慣れることができる。
また、格納庫や３次元設計機器から格納庫の間に搬送手段を備えることにより、重量物や巨大体積物となる実際物を簡便に搬送、格納でき、長期間にわたっての設計が可能になる。
また、ＣＡＤモデリングのために、ＪＩＳ準拠部品のデータなどを集めた標準的な設計ライブラリを提供することにより、３次元ＣＡＤを保有していない、あるいは利用したことのない利用者でも、ＣＡＤモデリングの実施が容易になる。
また、３次元設計機器やソフトウェアを１つの環境内に集めて設置することにより、顧客は設備投資することなく、ＣＡＤモデリングと実際物モデリングを組み合わせた複合モデリングを実施することが可能となる。
さらに、解析システムを用いてモデリングされたものの機能を計算機上で評価でき、その評価に基づきモデリングされたものの形状変更など設計におけるフィードバックがすぐに実施できる。
【００１３】
図５に、本実施形態におけるサービス利用登録時に、サーバ１１１が実行する処理手順についてのフローチャートを示す。
顧客２０１は、情報端末２０３から事業主体者１０１のサーバ１１１にアクセスする。サーバ１１１は顧客の情報端末２０３に利用を希望するサービスの選択画面を表示させ、利用を希望するサービスの選択及び選択したサービスについて必要な情報の入力を要求する（処理内容８０１）。入力された情報に基づき、サーバ１１１は、データベース１０９に格納された課金情報データ１１０を参照し、サービス利用にかかる費用を概算し、その結果を顧客の情報端末２０３に見積もり結果として表示する（処理内容８０２）。
顧客２０１は、この見積もり結果をサービスを利用するかどうかの判断材料として利用する。顧客２０１により利用登録が選択された場合には、顧客２０１の氏名や連絡先、電話番号などの顧客情報、希望する利用開始日、事業主体者１０１との間での守秘契約の有無、設計情報の漏洩や実際物の搬送時における破損に対する保険契約の有無などの入力を要求する（処理内容８０３、８０４）。
守秘契約希望が選択された場合には、顧客の端末画面２０３に守秘契約の選択部や、前記した内容以外に必要と思われる条項を追記するためのスペースを備えた画面を表示し、入力を要求する（処理内容８０５）。同様に保険契約希望が選択された場合にも、顧客の端末画面２０３に提携する保険業者４０１が提供する保険の種類を複数表示し、顧客２０１に選択を要求する（処理内容８０６）。少なくとも１つ以上の保険契約が選択された場合には、通信ネットワーク１１７を介して保険業者４０１のサーバ４１１に契約内容が送信され、保険契約を依頼する（処理内容８０７）。上記処理後、サーバ１１１は、顧客２０１に対して配布するＩＤ及び仮パスワードを顧客の端末画面２０３上に表示し、パスワードの変更を依頼する（処理内容８０８）。
パスワードの変更後、サーバ１１１は顧客２０１により入力された利用開始希望日や各サービス利用に必要な情報、サービスを利用する順序などの情報に基づき、サービス実施環境１０２に設置されている各機器の空き時間を検索し、他の利用者と機器の利用時間が重複しないようにするなどサービス利用の全体をスケジューリングする処理を実施する（処理内容８０９）。スケジューリング処理では、顧客２０１の希望にマッチするスケジュールを複数作成し、この処理結果を顧客の端末画面２０３に表示し、顧客２０１にスケジュールの選択を要求する（処理内容８１０）。
サーバ１１１は、顧客２０１により選択されたスケジュールに基づき、実際物の搬出入が必要となる場合には、物流業者３０１のサーバ３１１に対して実際物搬送手配の通知を送信し、スケジュールを確定し（処理内容８１１、８１２、８１３）、登録処理を完了する。
【００１４】
以上のサービス利用登録時の処理手順によれば、サービス実施環境１０２における３次元設計用機器のスケジュールを事業主体者が一元的に管理することになり、顧客に対して３次元設計用機器の専有利用サービスを提供できるとともに、他の利用者に対して顧客の設計材料を漏洩させる危険性を少なくできる。
また、課金情報データを用いることにより、顧客の３次元設計機器やソフトウェアの利用状況に応じた課金を容易に実施できる。
【００１５】
図６に、利用希望システムの選択画面についての一例を示す。この画面上には、撮像システム、造形システム、計測システム、ＣＡＤシステム、ＣＡＥシステムなど利用可能なシステムを表示する表示部１００１、利用希望のシステムを選択するためのチェックボックス１００２、システム利用順序を選択する選択部１００３が表示される。顧客２０１は、表示されたシステムのうち、利用を希望するもののチェックボックス１００２にマークをつける。さらに、マークをつけたシステムについてその利用順序を選択部１００３上で選択する。
【００１６】
図７に、図６の画面上で顧客３１が選択したシステムのうち、造形システムの利用に必要となる情報を入力する画面の一例を示す。この画面上には、造形物の概算寸法を入力する入力部１００４、造形に利用する材料を選択する選択部１００５、インストラクションの実施について選択する選択部１００６、物品の搬出手配を選択する選択部１００７が表示される。顧客２０１は、造形システムにより造形される造形物２０６の最終的な寸法についての概算を入力部１００４に入力し、造形に利用する材料を選択部１００５で選択、インストラクションの有無の選択や、造形サービスにより造形された造形物２０６をこのシステムの利用終了直後に搬出するか否かについての選択をそれぞれ選択部１００６、１００７上で実施する。
【００１７】
図８に、図７と同様に、図６の画面上で顧客３１が選択したシステムのうち、ＣＡＤシステムの利用に必要となる情報を入力する画面の一例を示す。この画面上には、ＣＡＤシステムの専有利用希望時間についての概算を入力する入力部１００８、インストラクションの有無を選択する選択部１００９、ライブラリの使用有無を選択する選択部１０１０が表示される。顧客２０１は、ＣＡＤシステムの専有利用希望時間を入力部１００８に入力し、インストラクションの有無、ライブラリ使用の有無についてそれぞれ選択部１００９、１０１０上で選択する。
【００１８】
図９に、顧客２０１が利用を希望するシステムについて、概算見積もり結果を表示した画面の一例を示す。この画面上には、利用希望の選択をしたシステム及びそれらのシステムについて入力された情報に基づき、計算された見積もり表示部１０１１が表示される。顧客２０１が入力した利用希望システムとそれらシステムの利用に必要な情報に基づき、サービス実施環境１０２に設置されたデータベース１０９に格納されている課金情報データ１１０を参照し、想定される利用状況に応じて見積もりが概算される。
【００１９】
図１０に、利用登録画面の一例を示す。この画面には、顧客２０１の情報を入力する入力部１０１２、サービス利用希望開始日を入力する入力部１０１３、保険契約の要、不要を選択する選択部１０１４、守秘契約の要、不要を選択する選択部１０１５が表示される。サービスの利用に先立ち、顧客２０１の氏名、所属団体名、連絡先となる所在地、固定電話あるいは携帯電話の番号、電子メールアドレスといった顧客情報を入力部１０１２に、また、サービスの利用希望開始日については入力部１０１３に入力する。設計情報の漏洩や実際物の搬送時に発生する危険性のある破損に対する保険契約の要否、事業主体者との間での守秘契約の要否についてはそれぞれ選択部１０１４、１０１５において選択する。
【００２０】
図１１に、保険契約画面についての一例を示す。この画面上には、保険契約コースの表示部１０１６、保険契約コースの選択部１０１７、保険内容についての表示部１０１８、保険コースに対する金額の表示部１０１９が表示される。事業主体者１０１と提携している保険業者４０１のサーバ４１１から本サービスに対して保険業者４０１が用意する複数の保険内容やオプションを顧客２０１の情報端末２０３の画面上に表示し、契約を希望する保険についての選択を要求する。表示部１０１６に表示される保険の名称をクリックすると、保険内容の詳細を表示し、顧客２０１が随時保険の内容を確認できるようにする。
【００２１】
図１２に、顧客２０１が事業主体者１０１と締結する守秘契約についての画面の一例を示す。この画面上には、契約内容の表示部１０２０、契約内容の選択部１０２１、追加契約内容の入力部１０２２が表示される。基本的な契約内容が表示部１０２０に表示され、それぞれについて必要なものを顧客２０１は選択部１０２１上で選択する。オプション的な契約内容についても表示し、必要なものについて選択を要求する。さらに、基本的な契約及びオプション的な契約では網羅されていないが、サービスの利用にあたっては必要と思われる内容について入力部１０２２への記入を促す。
【００２２】
図１３に、顧客２０１に対して配布するＩＤ及びパスワードの登録を要求する画面の一例を示す。この画面上には、ＩＤの表示部１０２３、パスワードの入力部１０２４、確認用のためのパスワード入力部１０２５が表示される。配布するＩＤはサーバ１１１及びデータベース１０９で管理している顧客情報のデータに基づき、新たに設定したものである。また、このＩＤに対し、顧客２０１が自由に設定するパスワードの入力を要求し、顧客２０１は入力部１０２４に入力する。入力部１０２４に入力されたパスワードの正誤を確認するため、同じパスワードの再入力を入力部１０２５にするよう要求する。
【００２３】
図１４に、顧客２０１が希望するシステムを利用できるスケジュールを表示した画面の一例を示す。この画面上には、スケジュールの表示部１０２６が少なくとも１つ以上表示される。表示部１０２６に表示される複数のスケジュールは、顧客２０１により予め入力された利用開始希望日や各システム利用に必要な情報、システムを利用する順序などの情報に基づき、サービス実施環境１０２に設置されている各機器の空き時間を検索し、サービス利用の全体をスケジューリングする処理を実施した結果である。スケジューリング処理では、顧客の希望にマッチするスケジュールを複数作成し、この処理結果を顧客の端末画面２０３に表示し、顧客２０１にスケジュールの選択を要求する。
【００２４】
図１５に、受付処理時に、受付処理端末１１６及び警備会社６０１に設置されたサーバ６１１が実施する処理手順についてのフローチャートを示す。
顧客２０１は、自ら選択したスケジュールに従い、サービス実施環境１０２に来場し、受付１２３に設置されている受付処理端末１１６に事前に配布されたＩＤ及び登録したパスワードを入力する（処理内容１１０１）。受付処理端末１１６は、通信ネットワーク１１７を介して警備会社６０１に設置されたサーバ６１１に、入力されたＩＤ及びパスワードを送信する（処理内容１１０２）。
サーバ６１１は、受信したＩＤ及びパスワードと各システムの利用スケジュールに基づき、当該時刻にサービス実施環境１０２への入場が許可されるべきＩＤ及びパスワードとを照合する（処理内容１１０３、１１０４）。サーバ６１１は、通信ネットワーク１１７を介して受付処理端末１１６に照合結果を返送する（処理内容１１０５）。
受付処理端末１１６は、照合結果を受信、参照し（処理内容１１０６）、ＩＤ及びパスワードが一致している場合には、ＩＤカード１１３に顧客２０１の情報を入力するためのプログラムを起動し、受付処理端末１１６に接続されているデータ伝送ケーブル１１５及び入力装置１１４を介してＩＤカード１１３に顧客２０１の情報やＩＤ及びパスワードを登録する（処理内容１１０７〜１１０８）。前記情報の登録が終了すると、受付処理端末１１６の画面上に受付完了が表示され、顧客２０１にはＩＤカード１１３が貸与され、そのＩＤカード１１３を装着する（処理内容１１０９）。
ＩＤ及びパスワードが不一致の場合には、受付処理用端末１１６は顧客２０１に対してＩＤ及びパスワードの再入力を要求する（処理内容１１１０）。ＩＤ及びパスワードの不一致が複数回以上になったら、受付処理端末１１６は受付拒否を画面上に表示し、あわせて警備会社６０１に不正侵入の疑いがある旨を通報する（処理内容１１１１）。
顧客２０１が所要により一時的にサービス実施環境１０２を退場する場合には、ＩＤカード１１３をそのまま装着し、再入場時に、装着されたＩＤカード１１３により入場許可の判定を実施する。
【００２５】
以上の受付処理時における処理手順によれば、顧客のＩＤ及びパスワード、３次元設計用機器の利用スケジュールなどが事業主体者によって一元的に管理され、サービス実施環境１０２への不正侵入を防止し、顧客の設計情報が他の利用者に漏洩してしまう危険性を少なくできるとともに、３次元設計機器の専有利用が可能な環境を提供できる。
【００２６】
図１６は、受付処理が実行されている間、受付処理端末１１６の画面上に表示される情報の時間推移を示す。受付処理端末１１６やサーバ６１１が実施する処理内容が進行・変化するに従い、ＩＤとパスワードを照合中には画面１１１２が表示され、照合の結果、一致した場合には画面１１１３が表示される。その後、受付処理端末１１６からＩＤカード１１３に顧客２０１の情報が登録されている間は画面１１１３が表示され、全ての処理が完了すると、画面１１１４が表示される。全ての処理が終ったら、顧客２０１は画面１１１４に表示される「ＯＫ」ボタンを押す。
【００２７】
図１７は、各システム室１０８への入室時に、セキュリティ装置１２０、施錠管理システム１２１及び警備会社６０１に設置されたサーバ６１１が実施する処理手順についてのフローチャートを示す。
顧客２０１は、自ら選択したスケジュールに従い、利用するシステム室への入室を試みる。各システム室１０８の入口に設置されたセキュリティ装置１２０は、顧客２０１に装着されたＩＤカード１１３内に入力されている情報を読み取る（処理内容１２０１）。セキュリティ装置１２０には、無線でＩＤカード１１３内の情報を読み取るタイプのものや、ＩＤカード１１３を機械に装着して情報を読み取るＩＤカードリーダタイプのものがある。セキュリティ装置１２０は、通信ネットワーク１１７を介して警備会社６０１に設置されたサーバ６１１に、ＩＤカード１１３から読み取ったＩＤ及びパスワードを送信する（処理内容１２０２）。
サーバ６１１は、受信したＩＤ及びパスワードと、各システムの利用スケジュールに基づき、当該時間に当該システム室１０８への入室が許可されるべきＩＤ及びパスワードとを照合する（処理内容１２０３、１２０４）。サーバ６１１は、通信ネットワーク１１７を介してセキュリティ装置１２０に照合結果を返送する（処理内容１２０５）。
セキュリティ装置１２０は、照合結果を受信、参照し、ＩＤ及びパスワードが一致している場合には、システム室１０８入口に設置した施錠管理システム１２１に対して開錠を要求する信号を送信し、施錠管理システム１２１は入口を開錠し、顧客２０１の入室を許可する（処理内容１２０６から１２１１）。
ＩＤ及びパスワードが不一致の場合には、セキュリティ装置１２０はＩＤカード１１３内の情報を再度読み取る（処理内容１２１２）。ＩＤ及びパスワードの不一致が複数回以上になったら、セキュリティ装置１２０は警備会社６０１に不正侵入の疑いがある旨を通報する（処理内容１２１３）。
顧客２０１がシステム利用中に所要で退室し、再度入室する場合には、上記の手順を繰り返す。
【００２８】
以上の各システム室１０８への入室時における処理手順によれば、各システム室１０８への入室に際し、顧客のＩＤ及びパスワード、３次元設計用機器の利用スケジュールなどが事業主体者によって一元的に管理され、サービス実施環境への不正侵入を防止し、顧客の設計情報が他の利用者に漏洩してしまう危険性を少なくできる。
【００２９】
図１８は、各システム室１０８の入口に設置されたセキュリティ装置１２０や各システムに設置されたセキュリティ装置１３０、施錠管理システム１２１が各システム室１０８に設置された３次元設計機器を起動する際に実施する処理手順についてのフローチャートを示す。
セキュリティ装置１２０は、顧客２０１が各システム室１０８に入室し、扉を閉めた際に発せられる施錠管理システム１２１から「扉閉」の信号を受信し、施錠管理システム１２１に対して施錠を要求する信号を送信する（処理内容１３０１）。施錠要求信号を受信した施錠管理システム１２１は、扉を施錠し、顧客２０１の利用するシステム室１０８への他の利用者による不正侵入を防止する（処理内容１３０４）。扉の施錠実施信号をセキュリティ装置１２０に送信する（処理内容１３０５）。確認したセキュリティ装置１２０は、室内のシステムに設置されたセキュリティ装置１３０に対し、入室した顧客２０１が装着しているＩＤカード１１３内の情報について読み取りを指示する信号を送信する（処理内容１３０６、１３０７）。
前記信号を受信したシステムに設置されているセキュリティ装置１３０は、顧客２０１に装着されたＩＤカード１１３内に入力されている情報を読み取る（処理内容１３０８）。読取り方法としては、各セキュリティ装置１３０が発する無線によりＩＤカード１１３内の情報を取得する方法や、ＩＤカードリーダにＩＤカード１１３を装着してＩＤカード１１３内の情報を取得する方法などがある。システムに設置されているセキュリティ装置１３０は、通信ネットワーク１１７を介して警備会社６０１に設置されたサーバ６１１に入力されたＩＤ及びパスワードを送信する（処理内容１３０９）。
サーバ６１１は、受信したＩＤ及びパスワードと各システムの利用スケジュールに基づき、当該時間に当該システムの利用が許可されるべきＩＤ及びパスワードとを照合する（処理内容１３１０、１３１１）。サーバ６１１は、通信ネットワーク１１７を介してシステムに設置されているセキュリティ装置１３０に照合結果を返送する（処理内容１３１２）。
システムに設置されているセキュリティ装置１３０は、照合結果を参照し、ＩＤ及びパスワードが一致している場合には各３次元設計機器に対して電源を入れる信号を送信し、３次元設計機器を起動する（処理内容１３１３〜１３１５）。ＩＤ及びパスワードが不一致の場合には、システムに設置されているセキュリティ装置１３０はＩＤカード１１３内の情報を再度読み取る（処理内容１３１６）。ＩＤ及びパスワードの不一致が複数回以上になったら、システムに設置されているセキュリティ装置１３０は警備会社６０１に不正侵入の疑いがある旨を通報する（処理内容１３１７）。
【００３０】
以上の各システム室１０８に設置された３次元設計機器を起動する際に実施する処理手順によれば、３次元設計機器の起動に際し、顧客のＩＤ及びパスワード、３次元設計用機器の利用スケジュールなどが事業主体者によって一元的に管理され、各システム室内への不正侵入を防止し、顧客の設計情報が他の利用者に漏洩してしまう危険性を少なくできる。
【００３１】
図１９は、造形システム１０５を利用する場合に、システム室１０８内に設置された造形装置制御用の端末画面上に表示される画面の一例を示す。この画面上には、パラメータ入力部１４０１、処理の実行結果を随時表示するログ表示部１４０２及び造形システム利用にともない発生する課金情報の表示部１４０３が表示される。パラメータ入力部１４０１には、顧客２０１が利用登録時に入力した情報がデフォルトで表示される。変更を希望する箇所については該当箇所に直接変更内容を入力させる。開始ボタンを押すと、入力されたデータやパラメータに従い、造形物２０６の造形が始まる。その処理過程については、ログ表示部１４０２に随時表示される。また、データベース１０９に格納された課金情報データ１１０を参照し、造形システム１０５の利用に対する課金情報が表示部１４０３上で随時更新される。
【００３２】
図２０は、ＣＡＤシステムを利用する際のユーザインタフェース画面の一例を示す。ユーザインタフェースには、３次元ＣＡＤモデルをグラフィックにより表示するモデル表示部１４０４、３次元ＣＡＤモデリングを実施する際のツールとして利用するコマンドボタン１４０５、ライブラリ選択ボタン１４０６、インストラクション及びライブラリ使用に関する情報の表示・選択を受け付ける選択部１４０７、課金情報の表示部１４０８が表示される。また、ライブラリ使用、インストラクション利用など、顧客２０１が利用登録時に選択した項目がデフォルトで選択部１４０７に表示される。これらの項目については必要に応じて変更可能である。その他、ＣＡＤ利用に要したＣＰＵ時間、ライブラリの使用料、インストラクション費用、課金合計金額が表示部１４０８に表示される。課金計算は、データベース１０９に格納された課金情報データ１１０に基づき、前記ＣＰＵ時間、ライブラリ及びインストラクション利用の有無に応じて実施され、課金状況が変更されるたびに課金表示は随時更新される。
【００３３】
図２１は、３次元設計機器等の利用終了後、各機器上に残存したデータを消去する処理手順及び各システム室を退場する処理手順についてのフローチャートを示す。
顧客２０１は、３次元設計機器やソフトウェアの使用を終了する場合、機器に接続されている制御用端末上で終了及び利用あるいは作成したデータの保存または消去、実際物の次のシステム室への移動または格納庫１１８への保管を選択し、機器に接続されている制御用端末からはサーバ１１１に対して終了通知を送信する。サーバ１１１はこの終了通知を受信する（処理内容１５０１）。サーバ１１１は、データの保存が選択された場合には、当該データをローカルＨＤからデータベース１０９へ送信し、保存する処理を実行する（処理内容１５０２、１５０３）。データの保存後、あるいはデータ消去が選択された場合、ローカルＨＤ上のデータを消去するコマンドを機器に接続されている制御用端末に対して送信する（処理内容１５０４）。機器に接続されている制御用端末がデータを消去した後、サーバ１１１はこの制御用端末に顧客の退室を要求する通知を送信する（処理内容１５０５）。さらに、セキュリティ装置１２０に対して退室処理要求を発行する（処理内容１５０６）。
要求を受けたセキュリティ装置１２０は、施錠管理システム１２１に対して退室確認要求を送信する（処理内容１５０７）。
施錠管理システム１２１は、サーバ１１１からの退室確認要求を受信後、扉の開閉に注目し、顧客の退室を監視する（処理内容１５０９）。顧客が退室し、扉が閉まると、施錠管理システム１２１は「扉閉」の信号をセキュリティ装置１２０に対して送信する（処理内容１５１０）。
「扉閉」の信号を受信したセキュリティ装置１２０は、施錠管理システム１２１に対して施錠を要求するコマンドを発行する（処理内容１５１１、１５１２）。
このコマンドに従い、施錠管理システム１２１は、扉を施錠し、施錠実施信号をセキュリティ装置１２０に返送する（処理内容１５１３、１５１４）。セキュリティ装置１２０は、施錠確認後、システム室１０８の３次元設計機器及び制御用端末の電源をＯＦＦにし、ローカルＨＤの交換を実施する（処理内容１５１５〜１５１７）。
取り外したＨＤは、ＨＤのデータ領域に無意味なデータを書き込み、ＨＤ上に残存したデータを完全に消去するようなソフトウェアを用いた処理を実施する。
なお、このフローチャートは、制御用端末の電源をＯＦＦにしてからローカルＨＤを交換するように図示しているが、ホットスワップ機能を有した端末であれば、電源が入ったままで交換してもかまわない。
【００３４】
以上の３次元設計機器等の利用終了後の処理手順によれば、ＨＤを交換し、データを一括消去することにより、顧客が利用したＨＤを次の利用者が続けて利用することがなくなり、設計情報の漏洩を簡便に排除することができる。
【００３５】
図２２は、本発明の第２の実施形態を示す。本実施形態は、３次元設計機器やソフトウェアによる作業を事業主体者が雇うオペレータに委託する場合に関する。すなわち、本実施形態は、顧客２０１が作業をオペレータ１４１に完全委託し、自らはサービス実施環境１０２に赴くことのない点に特徴があり、本発明の第１の実施形態と異なる。ただ、顧客２０１が希望すれば、オペレータ１４１が実施する作業に立会うことができるようなものであってもよい。
顧客２０１によるサービスの利用登録は、本発明の第１の実施形態と同様、顧客２０１の情報端末２０３より通信ネットワーク１１７を介してサービス実施環境１０２に設置されたサーバ１１１にアクセスして実施する。利用登録の際に、オペレータ１４１への作業委託を選択する。実際の作業については、各システムの利用に必要な情報のほかに、作業指示書を別途作成し、サーバ１１１に格納しておく。オペレータ１４１は、システムの利用情報と作業指示書に基づき、作業を実施する。
【００３６】
図２３に、第２の実施形態における利用登録手順についてのフローチャートを示す。
登録開始からＩＤ配布、パスワード登録依頼までの処理は、本発明の第１の実施形態で示した図５の登録手順と同じである。
顧客２０１によるＩＤ，パスワードの登録の後、作業を事業主体者１０１の雇うオペレータ１４１へ委託するかどうかの選択を要求する（処理内容１６０１）。作業の委託が選択された場合、顧客３１が立会うかどうかの選択を要求する（処理内容１６０２）。顧客２０１による立会のない、完全委託作業が選択された場合、作業結果を顧客２０１に対して通知する方法の選択を要求する（処理内容１６０３）。顧客２０１による選択が実施されると、スケジューリング処理へと移る。また、委託を希望しない場合、あるいは、顧客２０１の立会いのもとでの委託作業が選択された場合には、即スケジューリング処理へと移る。
スケジューリング処理から登録終了までの処理は、本発明の第１の実施形態で示した図５の登録手順と同じである。
【００３７】
図２４は、第２の実施形態における作業委託契約に関する申込み画面の一例を示す。この画面には、委託作業について選択する選択部１７０１、作業立会いについて選択する選択部１７０２、作業結果の通知方法について選択する選択部１７０３が表示されている。選択部１７０２及び選択部１７０３は、デフォルトでは選択不可の状態になっている。顧客２０１が作業委託の希望を選択部１７０１上で選択すると、選択部１７０２が選択可となる。この時点では、選択部１７０３はまだ選択不可の状態である。選択部１７０２において作業の立会いを希望すると、選択部１７０３は選択可能な状態になる。図面上では、結果作業の通知方法について、電話、郵送、電子メールを想定しているが、事業主体者１０１の顧客２０１訪問、または、顧客２０１の事業主体者１０１訪問を手段として追加してもよい。
【００３８】
以上の第２の実施形態によれば、顧客が３次元設計機器やソフトウェアの操作に不慣れであるため、機器の直接利用を希望しない場合には、機器の操作に慣れているオペレータに設計作業を任せることにより、作業を比較的短時間に済ませることができる。
【００３９】
図２５は、本発明の第３の実施形態を示す。本実施形態は、顧客２０１がサービス実施環境１０２に来場せず、顧客環境２０２の情報端末２０３を使って３次元設計機器やソフトウェアを通信ネットワークを介して利用する点に特徴がある。
本実施形態では、顧客２０１がサービス実施環境１０２に来場せず、３次元設計機器やソフトウェアの通信ネットワーク１１７を介しての利用を希望する場合、サービス利用登録時にネットワークによる利用を選択する。
【００４０】
図２６に、第３の実施形態における各システムへのアクセス手順についてのフローチャートを示す。
サーバ１１１は、顧客２０１が事前に選択したスケジュールを参照し、利用開始時間が近づいている場合に、当該機器（各システム）１０３〜１０７に対し、使用可否の問い合わせ処理を実施する（処理内容１８０１、１８０２）。
当該機器１０３〜１０７は、問い合わせを受信すると、稼動状態を返信する（処理内容１８０３、１８０４）。
サーバ１１１は、当該機器１０３〜１０７からの返信内容を参照し、当該機器が使用可能な場合には、顧客２０１に対して電子メールで当該機器１０３〜１０７が使用可能であることを通知する（処理内容１８０５〜１８０７）。この通知を受けた顧客２０１は、情報端末２０３から通信ネットワーク１１７を介してサーバ１１１にアクセスする。サーバ１１１は、顧客の情報端末２０３にＩＤ及びパスワードの入力画面を表示し、顧客２０１に対してＩＤ及びパスワードの入力を要求する（処理内容１８０８）。サーバ１１１は、入力されたＩＤ及びパスワードを通信ネットワーク１１７を介して警備会社６０１のサーバ６１１に送信する（処理内容１８０９）。
サーバ６１１は、事前に登録された当該機器１０３〜１０７のスケジュールデータ及び顧客２０１のスケジュールデータを参照し、当該時刻に当該機器１０３〜１０７の使用が許可されるべきＩＤ及びパスワードを検索し、サーバ１１１から送信されたＩＤ及びパスワードと照合する（処理内容１８１０、１８１１）。サーバ６１１はこの照合結果をサーバ１１１に返送する（処理内容１８１２）。サーバ１１１は、受信した照合結果を参照し、ＩＤ及びパスワードが一致している場合には、顧客２０１に対して当該機器１０３〜１０７へ排他アクセスを促し、機器の使用を許可する（処理内容１８１３〜１８１５）。排他アクセスにすることにより、顧客２０１が機器を使用中の場合、他の利用者は当該機器１０３〜１０７にアクセスできない。
【００４１】
以上の第３の実施形態によれば、顧客は、サービス実施環境１０２に赴くことなく、通信ネットワーク１１７経由で３次元設計機器やソフトウェアを設計情報を外部に漏洩させることなく利用することができる。
ここで、第３の実施形態は、３次元設計機器やソフトウェアによる作業を事業主体者が雇うオペレータに委託する場合、第２の実施形態において説明したように、顧客２０１が作業をオペレータ１４１に完全委託することもできる。
【００４２】
図２７は、本発明の第４の実施形態を示す。本実施形態は、サービス実施に伴い発生する課金の決済方法に関する。本実施形態は、本発明の第１の実施形態において通信ネットワーク１１７にクレジットカード会社２００１のサーバ２０１１と、銀行２００２のサーバ２０１２を接続することに特徴がある。
顧客２０１が本サービスを受けた際に発生する課金情報をクレジットカード会社２０００１のサーバ２０１１、または、銀行２００２のサーバ２０１２に転送し、それぞれのサーバ上において顧客のクレジットカードまたは銀行口座から発生した費用を引き落とす。
第４の実施形態によれば、顧客が３次元設計機器やソフトウェアを利用した際に発生する課金を容易に決済できる。
【００４３】
図２８は、本発明の第５の実施形態を示す。本実施形態は、サービス実施環境を分散配置することに特徴がある。
サービス実施環境１０２を全国の拠点に分散配置し、それぞれの環境を高速通信ネットワーク１９０１で相互接続する。これによれば、拠点を分散させることによりデータを冗長に保有でき、信頼性が高められる。また、顧客２０１が所属する団体の工場や事務所などの拠点が各地に分散されている場合に、顧客２０１は最も近距離にあるサービス実施環境を利用でき、また、高速通信ネットワーク１９０１を利用することにより、各拠点間でデータを高速にやり取りでき、設計情報の整合性を保つことができる。
図２８では、大都市を拠点とした場合を示しているが、顧客の多くが中小企業である場合には、この中小企業が密集する工業団地を拠点にしてもよい。サービス実施環境１０２を工業団地に配置することにより、顧客２０１の利用の便を図ることができ、さらには顧客の利用頻度を高めることができる。
【００４４】
なお、以上説明した本発明の設計支援サービス方法において、物流業者や警備会社に業務委託をしていた部分については、顧客２０１とサービス実施環境１０２の間に実際物搬送手段を有したり、セキュリティ装置やサーバをサービス実施環境１０２に設置することにより、事業主体者１０１が全て実施することも可能である。
【００４５】
【発明の効果】
以上説明したように、本発明によれば、設計情報の外部への漏洩を防止し、高価な３次元設計機器やソフトウェアを安全かつ容易に利用できる設計環境を提供することができる。また、遠隔で３次元設計機器やソフトウェアを利用できる設計環境を提供することができる。
また、設計情報の外部への漏洩を防止するために、利用者は３次元設計機器やソフトウェアを占有的に利用することができる。
また、３次元設計機器やソフトウェアを利用した後に、作成あるいは利用した設計情報を一括消去し、設計情報が他の利用者へ漏洩することことができる。
また、高度な３次元設計機器やソフトウェアを利用するための知識や操作に習熟する必要のない設計環境を提供することができる。
また、３次元設計機器やソフトウェア及びその周辺装置の利用に応じた料金を自動的に計算し、利用者に対して課金し、設計環境の運用を容易にすることができる。
また、３次元設計機器やソフトウェアで利用あるいは作成されるデータを高速伝送し、また、分散することにより、信頼性を高めた設計環境を提供することができる。
【図面の簡単な説明】
【図１】本発明の第１の実施形態による設計支援サービス方法を実現するシステム構成図である。
【図２】本発明のサービス実施環境の間取りの一例を示した説明図である。
【図３】本発明の設計支援サービス方法の動作説明図である。
【図４】図３に引き続く設計支援サービス方法の動作説明図である。
【図５】本発明の設計支援サービスの利用登録手順を示すフローチャート図である。
【図６】本発明の設計支援サービスの利用登録時に表示される画面表示例の説明図である。
【図７】本発明の設計支援サービスの利用登録時に表示される画面表示例の説明図である。
【図８】本発明の設計支援サービスの利用登録時に表示される画面表示例の説明図である。
【図９】本発明の設計支援サービスの利用登録時に表示される画面表示例の説明図である。
【図１０】本発明の設計支援サービスの利用登録時に表示される画面表示例の説明図である。
【図１１】本発明の設計支援サービスの利用登録時に表示される画面表示例の説明図である。
【図１２】本発明の設計支援サービスの利用登録時に表示される画面表示例の説明図である。
【図１３】本発明の設計支援サービスの利用登録時に表示される画面表示例の説明図である。
【図１４】本発明の設計支援サービスの利用登録時に表示される画面表示例の説明図である。
【図１５】本発明のサービス実施環境への入場手順を示すフローチャート図である。
【図１６】本発明のサービス実施環境への入場受付処理時に画面上に表示される画面表示例の説明図である。
【図１７】本発明のサービス実施環境内の各システム室への入室処理手順を示すフローチャート図である。
【図１８】本発明のサービス実施環境に設置された各システムを起動するまでの処理手順を示すフローチャート図である。
【図１９】本発明の各システムの利用時に表示される画面表示例の説明図である。
【図２０】本発明の各システムの利用時に表示される画面表示例の説明図である。
【図２１】本発明の各システム室の退場処理手順及びデータ消去手順を示すフローチャート図である。
【図２２】本発明の第２の実施形態による設計支援サービスにおける作業をオペレータに委託する場合のシステム構成図である。
【図２３】本発明の設計支援サービスにおける作業をオペレータに委託する場合の利用登録手順を示したフローチャート図である。
【図２４】本発明のオペレータに作業を委託する場合の利用登録時に表示される画面表示例の説明図である。
【図２５】本発明の第３の実施形態によるサービス実施環境内のシステムを通信ネットワークを介して利用する場合のシステム構成図である。
【図２６】本発明のサービス実施環境内のシステムを通信ネットワークを介して利用する場合の各機器の利用手順を示したフローチャート図である。
【図２７】本発明の第４の実施形態による設計支援サービスの利用において発生する課金をクレジットカード会社あるいは銀行により決済する場合のシステム構成図である。
【図２８】本発明の第５の実施形態によるサービス実施環境を各地の拠点に分散し、各サービス実施環境を高速ネットワークで接続したシステム構成図である。
【符号の説明】
１０１…事業主体者、１０２…サービス実施環境、１０３…撮像システム、１０４…計測システム、１０５…造形システム、１０６…ＣＡＤシステム、１０７…ＣＡＥシステム、１０８…システム室、１０９…データベース、１１０…課金情報データ、１１１…サーバ、１１２…受付処理プログラム、１１３…ＩＤカード、１１４…入力装置、１１５…データ伝送ケーブル、１１６…受付処理端末、１１７…通信ネットワーク、１１８…格納庫、１１９…搬送手段、１２０…セキュリティ装置、１３０…セキュリティ装置、１２１…施錠管理システム、１２２…出入口、１２３…受付、１２４…Ｘ線ＣＴ装置、１２５…３次元計測機、１２６…ＲＰ装置、１２７…プレゼンテーション室、１２８…会議室、１２９…搬出入口、１４１…オペレータ、２０１…顧客、２０２…顧客環境、２０３…情報端末、２０５…対象物、２０６…造形物、３０１…物流業者、３１１…サーバ、４０１…保険業者、４１１…サーバ、５０１…機器メーカ、５１１…サーバ、６０１…警備会社、６１１…サーバ、１９０１…高速通信ネットワーク、２００１…クレジットカード会社、２００２…銀行、２０１１…サーバ、２０１２…サーバ
【図１】
2004013767.tif 000003
【図２】
2004013767.tif 000004
【図３】
2004013767.tif 000005
【図４】
2004013767.tif 000006
【図５】
2004013767.tif 000007
【図６】
2004013767.tif 000008
【図７】
2004013767.tif 000009
【図８】
2004013767.tif 000010
【図９】
2004013767.tif 000011
【図１０】
2004013767.tif 000012
【図１１】
2004013767.tif 000013
【図１２】
2004013767.tif 000014
【図１３】
2004013767.tif 000015
【図１４】
2004013767.tif 000016
【図１５】
2004013767.tif 000017
【図１６】
2004013767.tif 000018
【図１７】
2004013767.tif 000019
【図１８】
2004013767.tif 000020
【図１９】
2004013767.tif 000021
【図２０】
2004013767.tif 000022
【図２１】
2004013767.tif 000023
【図２２】
2004013767.tif 000024
【図２３】
2004013767.tif 000025
【図２４】
2004013767.tif 000026
【図２５】
2004013767.tif 000027
【図２６】
2004013767.tif 000028
【図２７】
2004013767.tif 000029
【図２８】
2004013767.tif 000030